(57)【要約】【課題】計量中に接続先から読み込んだ各種情報を有効に活用することが可能な電子秤計量器を提供する。【解決手段】画面上のプリセットキーに第１のＵＲＬ、第２のＵＲＬおよび商品Ｎｏ．を関連付けることができる。プリセットキーを押すと、ブラウザ２２３が起動する。計量情報表示部２１１には、商品名、風袋量および単価が表示され、商品の計量結果が表示される。ブラウザ２２３には、第１のＵＲＬのホームページが表示される。計量情報表示部２１１は前面表示部１０２の所定領域に表示され、ファンクションキー２２２およびブラウザ２２３は計量情報表示部２１１と重ならない領域に表示される。【選択図】        図６
2004264219.tif 000002
【特許請求の範囲】
【請求項１】
通信回線に接続可能な電子秤計量器であって、
計量を行う計量手段と、
画面を有し、前記計量手段の計量結果を前記画面上に表示する表示手段と、
前記通信回線を介して指定された接続先に接続する接続手段と、
前記通信回線を介して接続先から情報を読み込んで前記表示手段の画面上に閲覧可能に表示する閲覧手段と、
前記画面の第１の領域に前記計量手段の計量結果が表示されるとともに前記画面の前記第１の領域と異なる第２の領域に前記閲覧手段により読み込まれた情報が表示されるように前記表示手段を制御する制御手段とを備えることを特徴とする電子秤計量器。
【請求項２】
前記画面の設定された領域にキーを割り付けるキー割り付け手段と、
前記キー割り付け手段により割り付けられたキーに前記閲覧手段を起動する起動スイッチを割り付ける起動スイッチ割り付け手段とをさらに備えたことを特徴とする請求項１に記載の電子秤計量器。
【請求項３】
前記キー割り付け手段により割り付けられたキーに接続先のアドレスを関連付ける関連付け手段をさらに備え、
前記接続手段は、前記キー割り付け手段により割り付けられたキーが操作された場合に前記関連付け手段により関連付けられた接続先のアドレスに接続し、
前記閲覧手段は、前記接続先から情報を読み込んで前記画面に表示することを特徴とする請求項２記載の電子秤計量器。
【請求項４】
通信回線に接続可能な電子秤計量器であって、
計量を行う計量手段と、
画面を有し、前記計量手段の計量結果を前記画面上に表示する表示手段と、
前記画面の設定された領域にキーを割り付けるキー割り付け手段と、
前記キー割り付け手段により割り付けられたキーに接続先のアドレスを関連付ける関連付け手段と、
前記キー割り付け手段により割り付けられたキーが操作された場合に、前記関連付け手段により関連付けられた接続先のアドレスに通信回線を介して接続する接続手段と、
前記通信回線を介して前記接続先から情報を読み込んで前記表示手段の画面上に閲覧可能に表示する閲覧手段とを備えたことを特徴とする電子秤計量器。
【請求項５】
前記関連付け手段は、
接続先のアドレスと接続先を識別する識別情報との対応関係を登録する登録手段と、
前記登録手段に登録された対応関係に基づいて、指定された識別情報に対応する接続先のアドレスを前記キーに関連付けるアドレス関連付け手段とを含む請求項４記載の電子秤計量器。
【請求項６】
前記登録手段は、
前記接続先のアドレスおよび前記識別情報を入力する入力手段と、
前記入力手段により入力された接続先のアドレスに接続し、前記接続先から情報を読み込んで前記表示手段の画面上に閲覧可能に表示するプレビュー手段とを含むことを特徴とする請求項５記載の電子秤計量器。
【請求項７】
前記登録手段は、
前記プレビュー手段による表示後の確定操作により前記入力手段により入力された接続先のアドレスと識別情報との対応関係を記憶する対応関係記憶手段をさらに含むことを特徴とする請求項６記載の電子秤計量器。
【請求項８】
商品に関連する情報を商品情報として記憶する商品情報記憶手段と、
前記商品情報記憶手段に記憶された商品情報と接続先のアドレスとを対応付ける対応付け手段と、
指定された商品に基づいて前記対応付け手段から接続先のアドレスを読み出すアドレス読み出し手段とをさらに備えたことを特徴とする請求項４〜７のいずれかに記載の電子秤計量器。
【請求項９】
通信回線に接続可能なラベル印字装置であって、
商品に関連する情報を商品情報として記憶する商品情報記憶手段と、
前記商品情報をラベルに印字する印字手段と、
画面を有し、前記商品情報を前記画面上に表示する表示手段と、
前記通信回線を介して指定された接続先に接続する接続手段と、
前記通信回線を介して接続先から情報を読み込んで前記表示手段の画面上に閲覧可能に表示する閲覧手段と、
前記画面の第１の領域に前記商品情報が表示されるとともに前記画面の前記第１の領域と異なる第２の領域に前記閲覧手段により読み込まれた情報が表示されるように前記表示手段を制御する制御手段とを備えることを特徴とするラベル印字装置。
【請求項１０】
前記画面の設定された領域にキーを割り付けるキー割り付け手段と、
前記キー割り付け手段により割り付けられたキーに前記閲覧手段を起動する起動スイッチを割り付ける起動スイッチ割り付け手段とをさらに備えたことを特徴とする請求項９記載のラベル印字装置。
【請求項１１】
前記キー割り付け手段により割り付けられたキーに接続先のアドレスを関連付ける関連付け手段をさらに備え、
前記接続手段は、前記キー割り付け手段により割り付けられたキーが操作された場合に前記関連付け手段により関連付けられた接続先のアドレスに接続し、
前記閲覧手段は、前記接続先から情報を読み込んで前記画面に表示することを特徴とする請求項１０記載のラベル印字装置。
【請求項１２】
通信回線に接続可能な電子秤計量器であって、
商品に関連する情報を商品情報として記憶する商品情報記憶手段と、
前記商品情報をラベルに印字する印字手段と、
画面を有し、前記商品情報を前記画面上に表示する表示手段と、
前記画面の設定された領域にキーを割り付けるキー割り付け手段と、
前記キー割り付け手段により割り付けられたキーに接続先のアドレスを関連付ける関連付け手段と、
前記キー割り付け手段により割り付けられたキーが操作された場合に、前記関連付け手段により関連付けられた接続先のアドレスに通信回線を介して接続する接続手段と、
前記通信回線を介して前記接続先から情報を読み込んで前記表示手段の画面上に閲覧可能に表示する閲覧手段とを備えたことを特徴とするラベル印字装置。
【請求項１３】
前記関連付け手段は、
接続先のアドレスと接続先を識別する識別情報との対応関係を登録する登録手段と、
前記登録手段に登録された対応関係に基づいて、指定された識別情報に対応する接続先のアドレスを前記キーに関連付けるアドレス関連付け手段とを含む請求項１２記載のラベル印字装置。
【請求項１４】
前記登録手段は、
前記接続先のアドレスおよび前記識別情報を入力する入力手段と、
前記入力手段により入力された接続先のアドレスに接続し、前記接続先から情報を読み込んで前記表示手段の画面上に閲覧可能に表示するプレビュー手段とを含む請求項１３記載のラベル印字装置。
【請求項１５】
前記登録手段は、
前記プレビュー手段による表示後の確定操作により前記入力手段により入力された接続先のアドレスと識別情報との対応関係を記憶する対応関係記憶手段をさらに含むことを特徴とする請求項１４記載のラベル印字装置。
【請求項１６】
前記商品情報記憶手段に記憶された商品情報と接続先のアドレスとを対応付ける対応付け手段と、
指定された商品に基づいて前記対応付け手段から接続先のアドレスを読み出すアドレス読み出し手段とをさらに備えたことを特徴とする請求項１２〜１５のいずれかに記載のラベル印字装置。
【発明の詳細な説明】
【０００１】
【発明の属する技術分野】
本発明は、通信回線に接続可能な電子秤計量器およびラベル印字装置に関する。
【０００２】
【従来の技術】
近年、スーパーマーケット等の店舗においては、インターネットと接続することが可能な電子秤計量器が提案されている（例えば、特許文献１参照）。
【０００３】
また、閲覧用アプリケーションプログラム（以下、ブラウザソフトと呼ぶ）を搭載した電子秤計量器も用いられている。この電子秤計量器は、インターネット上の指定したＵＲＬ（ユニフォームリソースロケータ）のホームページを表示することもでき、各種情報をダウンロードするための情報端末として提案されている。
【０００４】
【特許文献１】
特開２００２−３０４６７５号公報
【０００５】
【発明が解決しようとする課題】
しかしながら、上記の電子秤計量器において、商品等の計量中にブラウザソフトを起動すると、商品の重量、風袋量等の法定の計量項目を表示する部分がブラウザソフトの閲覧ウィンドウで隠れてしまう。計量器による計量中は、商品の重量、風袋量等の計量項目を表示することが法律により義務づけられている。
【０００６】
そのため、商品の計量中には、ブラウザソフトを起動することはできず、ブラウザソフトにより得られる各種情報を計量中に有効に活用することができない。また、ＵＲＬを入力するためのキーボードの置き場所が必要となる等の課題もある。
【０００７】
一方、商品に貼付するラベルに価格等の商品情報を印字するラベル印字装置が用いられている。ラベル印字装置において、商品情報を表示する画面を有し、インターネットと接続可能な機能を備えることが可能である。このようなラベル印字装置においても、電子秤計量器と同様の課題が生じる。
【０００８】
本発明の目的は、計量中に接続先から読み込んだ各種情報を有効に活用することが可能な電子秤計量器を提供することである。
【０００９】
本発明の他の目的は、キーボードを設けることなく接続先から読み込んだ各種情報を容易に表示することが可能な電子秤計量器を提供することである。
【００１０】
本発明のさらに他の目的は、計量中に接続先から読み込んだ各種情報を有効に活用することが可能なラベル印字装置を提供することである。
【００１１】
本発明のさらに他の目的は、キーボードを設けることなく接続先から読み込んだ各種情報を容易に表示することが可能なラベル印字装置を提供することである。
【００１２】
【課題を解決するための手段】
第１の発明に係る電子秤計量器は、通信回線に接続可能な電子秤計量器であって、計量を行う計量手段と、画面を有し、計量手段の計量結果を画面上に表示する表示手段と、通信回線を介して指定された接続先に接続する接続手段と、通信回線を介して接続先から情報を読み込んで表示手段の画面上に閲覧可能に表示する閲覧手段と、画面の第１の領域に計量手段の計量結果が表示されるとともに画面の第１の領域と異なる第２の領域に閲覧手段により読み込まれた情報が表示されるように表示手段を制御する制御手段とを備えるものである。
【００１３】
本発明に係る電子秤計量器においては、計量手段により計量が行われるとともに計量結果が表示手段の画面上に表示される。接続手段は、通信回線を介して指定された接続先に接続する。接続先の情報は、閲覧手段により読み込まれて表示手段の画面上に表示される。制御手段は、接続先から読み込まれた情報を、計量結果と異なる領域に表示するように表示手段を制御する。
【００１４】
この場合、計量手段による計量結果の表示と閲覧手段により読み込まれた情報の表示とが画面上で重なることが確実に防止される。したがって、閲覧手段により読み込まれた情報を閲覧しながら計量手段により計量を行うことができる。その結果、計量中に接続先から読み込んだ各種情報を有効に活用することができる。
【００１５】
画面の設定された領域にキーを割り付けるキー割り付け手段と、キー割り付け手段により割り付けられたキーに閲覧手段を起動する起動スイッチを割り付ける起動スイッチ割り付け手段とをさらに備えてもよい。
【００１６】
この場合、キー割り付け手段により画面の設定された領域にキーが割り付けられ、そのキーに閲覧手段を起動する起動スイッチが起動スイッチ割り付け手段により割り付けられる。したがって、簡単なキー操作によって閲覧手段が起動する。
【００１７】
キー割り付け手段により割り付けられたキーに接続先のアドレスを関連付ける関連付け手段をさらに備え、接続手段は、キー割り付け手段により割り付けられたキーが操作された場合に関連付け手段により関連付けられた接続先のアドレスに接続し、閲覧手段は、接続先から情報を読み込んで画面に表示してもよい。
【００１８】
この場合、キー割り付け手段により割り付けられたキーに関連付け手段により接続先のアドレスが関連付けられる。このキーが操作されると、接続手段は接続先のアドレスに接続する。それにより、閲覧手段は接続先の情報を読み込み、画面に表示させる。したがって、アドレスを入力することなく、簡単なキー操作により接続先のアドレスに容易に接続することができる。
【００１９】
第２の発明に係る電子秤計量器は、通信回線に接続可能な電子秤計量器であって、計量を行う計量手段と、画面を有し、計量手段の計量結果を画面上に表示する表示手段と、画面の設定された領域にキーを割り付けるキー割り付け手段と、キー割り付け手段により割り付けられたキーに接続先のアドレスを関連付ける関連付け手段と、キー割り付け手段により割り付けられたキーが操作された場合に、関連付け手段により関連付けられた接続先のアドレスに通信回線を介して接続する接続手段と、通信回線を介して接続先から情報を読み込んで表示手段の画面上に閲覧可能に表示する閲覧手段とを備えるものである。
【００２０】
本発明に係る電子秤計量器においては、計量手段により計量が行われるとともに計量結果が表示手段の画面上に表示される。また、キー割り付け手段により画面の設定された領域にキーが割り付けられ、そのキーに接続先のアドレスが関連付け手段により関連付けられる。このキーが操作されると、接続手段は接続先のアドレスに接続する。それにより、閲覧手段は接続先の情報を読み込み、画面に表示させる。
【００２１】
したがって、アドレスを入力することなく、簡単なキー操作により接続先のアドレスに容易に接続し、接続先から読み込まれた情報を画面に表示することができる。その結果、キーボードを設けることなく接続先から読み込んだ各種情報を容易に表示することができる。
【００２２】
関連付け手段は、接続先のアドレスと接続先を識別する識別情報との対応関係を登録する登録手段と、登録手段に登録された対応関係に基づいて、指定された識別情報に対応する接続先のアドレスをキーに関連付けるアドレス関連付け手段とを含んでもよい。
【００２３】
この場合、登録手段により接続先のアドレスと接続先を識別する識別情報との対応関係が登録され、登録手段に登録された対応関係に基づいて、指定された識別情報に対応する接続先のアドレスがアドレス関連付け手段によりキーに関連付けられる。したがって、接続先のアドレスを入力することなく、識別情報を指定することにより、接続先のアドレスをキーに容易に関連付けることができる。
【００２４】
登録手段は、接続先のアドレスおよび識別情報を入力する入力手段と、入力手段により入力された接続先のアドレスに接続し、接続先から情報を読み込んで表示手段の画面上に閲覧可能に表示するプレビュー手段とを含んでもよい。
【００２５】
この場合、入力手段により接続先のアドレスおよび識別情報が入力される。プレビュー手段は、その入力された接続先のアドレスに接続し、接続先から情報を読み込み、表示手段の画面上に閲覧可能に表示する。
【００２６】
したがって、入力された接続先のアドレスと識別情報との対応関係を登録する前に、接続先のアドレスに接続し、接続先から読み込まれた情報が画面上に表示される。その結果、所望の接続先のアドレスが正確に入力されたか否かを容易に確認することができる。
【００２７】
登録手段は、プレビュー手段による表示後の確定操作により入力手段により入力された接続先のアドレスと識別情報との対応関係を記憶する対応関係記憶手段をさらに含んでもよい。
【００２８】
この場合、プレビュー手段による表示後の確定操作後に、入力された接続先のアドレスと識別情報との対応関係が対応関係記憶手段により記憶される。したがって、所望の接続先のアドレスが正確に入力されたか否かを確認した後に確定操作により接続先のアドレスと識別情報との対応関係が記憶される。その結果、誤って入力された接続先のアドレスが登録されることを防止することができる。
【００２９】
商品に関連する情報を商品情報として記憶する商品情報記憶手段と、商品情報記憶手段に記憶された商品情報と接続先のアドレスとを対応付ける対応付け手段と、指定された商品に基づいて対応付け手段から接続先のアドレスを読み出すアドレス読み出し手段とをさらに備えてもよい。
【００３０】
この場合、商品に関連する情報が商品情報記憶手段により商品情報として記憶され、商品情報記憶手段に記憶された商品情報と接続先のアドレスとが対応付け手段により対応付けられ、指定された商品に基づいて対応付け手段から接続先のアドレスがアドレス読み出し手段により読み出される。したがって、商品を指定することにより商品に関する接続先のアドレスを容易に読み出すことができる。
【００３１】
第３の発明に係るラベル印字装置は、通信回線に接続可能なラベル印字装置であって、商品に関連する情報を商品情報として記憶する商品情報記憶手段と、商品情報をラベルに印字する印字手段と、画面を有し、商品情報を画面上に表示する表示手段と、通信回線を介して指定された接続先に接続する接続手段と、通信回線を介して接続先から情報を読み込んで表示手段の画面上に閲覧可能に表示する閲覧手段と、画面の第１の領域に商品情報が表示されるとともに画面の第１の領域と異なる第２の領域に閲覧手段により読み込まれた情報が表示されるように表示手段を制御する制御手段とを備えるものである。
【００３２】
本発明に係るラベル印字装置においては、商品に関連する情報が商品情報として商品情報記憶手段により記憶される。その記憶された商品情報は、印字手段により印字され、さらに、表示手段の画面に表示される。また、接続手段は、通信回線を介して指定された接続先に接続する。接続先の情報は、閲覧手段により読み込まれて表示手段の画面上に表示される。制御手段は、接続先から読み込まれた情報を計量結果と異なる領域に表示されるように制御手段を制御する。
【００３３】
この場合、商品情報の表示と閲覧手段により読み込まれた情報の表示とが画面上で重なることが確実に防止される。したがって、閲覧手段により読み込まれた情報を閲覧しながら商品情報を閲覧することができる。その結果、計量中に接続先から読み込んだ各種情報を有効に活用することができる。
【００３４】
画面の設定された領域にキーを割り付けるキー割り付け手段と、キー割り付け手段により割り付けられたキーに閲覧手段を起動する起動スイッチを割り付ける起動スイッチ割り付け手段とをさらに備えてもよい。
【００３５】
この場合、キー割り付け手段により画面の設定された領域にキーが割り付けられ、そのキーに起動スイッチ割り付け手段により閲覧手段を起動する起動スイッチが割り付けられる。したがって、簡単なキー操作によって閲覧手段が起動する。
【００３６】
キー割り付け手段により割り付けられたキーに接続先のアドレスを関連付ける関連付け手段をさらに備え、接続手段は、キー割り付け手段により割り付けられたキーが操作された場合に関連付け手段により関連付けられた接続先のアドレスに接続し、閲覧手段は、接続先から情報を読み込んで画面に表示してもよい。
【００３７】
この場合、キー割り付け手段により割り付けられたキーに関連付け手段により接続先のアドレスが関連付けられる。このキーが操作されると、接続手段は接続先のアドレスにする。それにより、閲覧手段は接続先の情報が読み込み、画面に表示させる。したがって、アドレスを入力することなく、簡単なキー操作により接続先のアドレスに容易に接続することができる。
【００３８】
第４の発明に係るラベル印字装置は、通信回線に接続可能なラベル印字装置であって、商品に関連する情報を商品情報として記憶する商品情報記憶手段と、商品情報をラベルに印字する印字手段と、画面を有し、商品情報を画面上に表示する表示手段と、画面の設定された領域にキーを割り付けるキー割り付け手段と、キー割り付け手段により割り付けられたキーに接続先のアドレスを関連付ける関連付け手段と、キー割り付け手段により割り付けられたキーが操作された場合に、関連付け手段により関連付けられた接続先のアドレスに通信回線を介して接続する接続手段と、通信回線を介して接続先から情報を読み込んで表示手段の画面上に閲覧可能に表示する閲覧手段とを備えるものである。
【００３９】
本発明に係る他のラベル印字装置においては、商品に関連する情報が商品情報として商品情報記憶手段により記憶される。その記憶された商品情報は、印字手段により印字され、さらに、表示手段の画面に表示される。また、キー割り付け手段により画面の設定された領域にキーが割り付けられ、そのキーに接続先のアドレスが関連付け手段により関連付けられる。このキーが操作されると、接続手段は接続先のアドレスに接続する。それにより、閲覧手段は接続先の情報を読も込み、画面に表示させる。
【００４０】
したがって、アドレスを入力することなく、簡単なキーを操作により接続先のアドレスに容易に接続し、接続先から読み込まれた情報を画面に表示することができる。その結果、キーボードを設けることなく接続先から読み込んだ各種情報を容易に表示することができる。
【００４１】
関連付け手段は、接続先のアドレスと接続先を識別する識別情報との対応関係を登録する登録手段と、登録手段に登録された対応関係に基づいて、指定された識別情報に対応する接続先のアドレスをキーに関連付けるアドレス関連付け手段とを含んもでよい。
【００４２】
この場合、登録手段により接続先のアドレスと接続先を識別する識別情報との対応関係が登録され、登録手段に登録された対応関係に基づいて、指定された識別情報に対応する接続先のアドレスがアドレス関連付け手段によりキーに関連付けられる。したがって、接続先のアドレスを入力することなく、識別情報を指定することにより接続先のアドレスをキーに容易に関連付けることができる。
【００４３】
登録手段は、接続先のアドレスおよび識別情報を入力する入力手段と、入力手段により入力された接続先のアドレスに接続し、接続先から情報を読み込んで表示手段の画面上に閲覧可能に表示するプレビュー手段とを含んでもよい。
【００４４】
この場合、入力手段により接続先のアドレスおよび識別情報が入力される。プレビュー手段は、その入力された接続先のアドレスに接続し、接続先から情報を読み込み、表示手段の画面上に閲覧可能に表示する。
【００４５】
したがって、入力された接続先のアドレスと識別情報との対応関係を登録する前に、接続先のアドレスに接続し、接続先から読み込まれた情報が画面上に表示される。その結果、所望の接続先のアドレスが正確に入力されたか否かを容易に確認することができる。
【００４６】
登録手段は、プレビュー手段による表示後の確定操作により入力手段により入力された接続先のアドレスと識別情報との対応関係を記憶する対応関係記憶手段をさらに含んでもよい。
【００４７】
この場合、プレビュー手段による表示後の確定操作後に、入力された接続先のアドレスと識別情報との対応関係が対応関係記憶手段により記憶される。したがって、所望の接続先のアドレスが正確に入力されたか否かを確認した後に確定操作により接続先のアドレスと識別情報との対応関係が記憶される。その結果、誤って入力された接続先のアドレスが登録されることを防止することができる。
【００４８】
商品情報記憶手段に記憶された商品情報と接続先のアドレスとを対応付ける対応付け手段と、指定された商品に基づいて対応付け手段から接続先のアドレスを読み出すアドレス読み出し手段とをさらに備えてもよい。
【００４９】
この場合、商品に関連する情報が商品情報記憶手段により商品情報として記憶され、商品情報記憶手段に記憶された商品情報と接続先のアドレスとが対応付け手段により対応付けられ、指定された商品に基づいて対応付け手段から接続先のアドレスがアドレス読み出し手段により読み出される。したがって、商品を指定することにより商品に関する接続先のアドレスを容易に読み出すことができる。
【００５０】
【発明の実施の形態】
以下、図１〜図１７を用いて本発明の実施の形態に係る電子秤計量器について説明する。
【００５１】
図１は、本実施の形態に係る電子秤計量器を用いた電子秤計量器システム７００の構成を示す模式図である。
【００５２】
本実施の形態に係る電子秤計量器システム７００は、複数の電子秤計量器１００、パーソナルコンピュータ３００およびＬＡＮ（ローカルエリアネットワーク）４００から構成されている。
【００５３】
パーソナルコンピュータ３００および電子秤計量器１００はＬＡＮ４００を介して互いに接続されている。ＬＡＮ４００は、インターネット６００を経由してプロバイダ用サーバ５００に接続される。これにより、電子秤計量器１００は、ＬＡＮ４００を介してパーソナルコンピュータ３００と通信することができるとともにインターネット６００に接続されるコンピュータ、携帯端末等の種々の外部装置と通信することができる。
【００５４】
なお、電子秤計量器１００およびパーソナルコンピュータ３００は、双方向に通信可能なネットワークを介して接続されていればよく、ＬＡＮ４００の代わりにインターネット等の公衆通信回線網を用いてもよい。
【００５５】
図２は、本実施の形態に係る電子秤計量器１００の外観斜視図である。図２（ａ）は電子秤計量器１００を前方より見た場合を示し、図２（ｂ）は電子秤計量器１００を後方より見た場合を示す。図３は、電子秤計量器１００の構成を示すブロック図である。本実施の形態に係る電子秤計量器はラベル印字装置の機能を備えている。
【００５６】
以下に、電子秤計量器１００の外観および構成について図２および図３に基づいて説明する。
【００５７】
図２に示すように、電子秤計量器１００は、ほぼ直方体の本体を有している。図２（ａ）に示すように、本体の前面側には操作パネル１０１、前面表示部１０２および印字部１０４が設けられている。本体の上面側には計量部１０３が設けられている。また、図２（ｂ）に示すように、本体の背面側には広告等を表示する背面表示部１０５が設けられている。
【００５８】
前面表示部１０２はタッチパネルからなり、商品の単価、商品に関係するホームページ、広告等の表示および電子秤計量器１００に対する指令のために用いられる。背面表示部１０５は顧客の購入商品の金額、顧客の購入状況に応じた広告等を表示する。操作パネル１０１は、キー、タッチパネル等からなり、商品の単価等の入力および計量、印字等の指令の入力を行うために用いられる。
【００５９】
本実施の形態の電子秤計量器１００は、店員および顧客が前面表示部１０２を操作することができるように設置される。以下、使用者とは、店員または顧客を指す。
【００６０】
図３に示すように、電子秤計量器１００は、操作パネル１０１、前面表示部１０２、計量部１０３、印字部１０４、背面表示部１０５、ＣＰＵ（中央演算処理装置）１１０、ＲＯＭ（リードオンリメモリ）１１１、ＲＡＭ（ランダムアクセスメモリ）１１２、外部記憶装置１１３およびインタフェース部１１４を備える。
【００６１】
外部記憶装置１１３には、電子秤計量器１００を動作させるための各種のプログラム、汎用の閲覧用アプリケーションプログラム（以下、ブラウザと呼ぶ）およびインターネットへの接続のための通信プログラムが記憶される。また、外部記憶装置１１３には、アイテムマスタおよびＵＲＬ（ユニフォームリソースロケータ）マスタが記憶される。アイテムマスタには、商品名、単価、風袋量、後述する第１のＵＲＬＮｏ．、第２のＵＲＬＮｏ．等のデータが商品Ｎｏ．ごとにセットで登録される。ＵＲＬマスタには、後述するＵＲＬ名およびＵＲＬがＵＲＬＮｏ．ごとにセットで登録される。
【００６２】
ＣＰＵ１１０は、外部記憶装置１１３に記憶された各種プログラムをＲＡＭ１１２上で実行する。各種プログラムの詳細については後述する。ＲＯＭ１１１には、システムプログラムが記憶される。計量部１０３は、商品の重量を計量し、印字部１０４は、ラベルに商品の単価、商品の重量から計算された値段等を印字する。インタフェース部１１４は、電子秤計量器１００とＬＡＮ４００とを相互に接続する。
【００６３】
図４は、前面表示部１０２に表示されたメニューモード画面２３０を示す模式図である。
【００６４】
電子秤計量器１００の電源がオンされると、外部記憶装置１１３からメニューモードプログラムがＲＡＭ１１２に読み込まれ、ＣＰＵ１１０により実行されることにより、前面表示部１０２にメニューモード画面２３０が表示される。
【００６５】
図４に示すように、メニューモード画面２３０は、通常モードキー２３１ａ、ＵＲＬ登録キー２３１ｂ、ＵＲＬ一覧キー２３１ｃ、商品一覧キー２３１ｄおよびプリセットキー登録モードキー２３１ｅを含む。
【００６６】
通常モードキー２３１ａが押されると、外部記憶装置１１３から通常モードモードプログラムがＲＡＭ１１２に読み込まれ、ＣＰＵ１１０により実行されることにより、前面表示部１０２に後述する図５の通常モード画面２１０が表示される。
【００６７】
ＵＲＬ登録キー２３１ｂが押されると、外部記憶装置１１３からＵＲＬ登録モードモードプログラムがＲＡＭ１１２に読み込まれ、ＣＰＵ１１０により実行されることにより、前面表示部１０２に後述する図７のＵＲＬ登録モード画面２４０が表示される。
【００６８】
ＵＲＬ一覧キー２３１ｃが押されると、外部記憶装置１１３からＵＲＬ一覧モードプログラムがＲＡＭ１１２に読み込まれ、ＣＰＵ１１０により実行されることにより、前面表示部１０２に後述する図９のＵＲＬ一覧モード画面２６０が表示される。
【００６９】
商品一覧キー２３１ｄが押されると、外部記憶装置１１３から商品一覧モードプログラムがＲＡＭ１１２に読み込まれ、ＣＰＵ１１０により実行されることにより、前面表示部１０２に後述する図１０の商品一覧モード画面２７０が表示される。
【００７０】
プリセットキー登録モードキー２３１ｅが押されると、外部記憶装置１１３からプリセットキー登録モードプログラムがＲＡＭ１１２に読み込まれ、ＣＰＵ１１０により実行されることにより、前面表示部１０２に後述する図１１のプリセットキー登録モード画面２８０が表示される。
【００７１】
図５は、図２の前面表示部１０２に表示された通常モード画面２１０を示す模式図である。
【００７２】
図５に示すように、通常モード画面２１０は、計量情報表示部２１１、ファンクションキー部２１２、商品グループ選択部２１３、商品選択部２１４およびホームページ選択部２１５を含む。計量情報表示部２１１は前面表示部１０２の所定領域に表示され、ファンクションキー２１２、商品選択部２１４およびホームページ選択部２１５は計量情報表示部２１１に重ならない領域に表示される。
【００７３】
ファンクションキー部２１２は、メニューキー２１２ａ等の複数のファンクションキーから構成される。商品グループ選択部２１３は、複数の商品選択キー２１３ａから構成される。商品選択部２１４は、複数の画像商品選択キー２１４ａおよび複数の文字商品選択キー２１４ｂから構成される。ホームページ選択部２１５は、複数のホームページ選択キー２１５ａから構成される。
【００７４】
なお、図５の例では、画像商品選択キー２１４ａ、文字商品選択キー２１４ｂおよびホームページ選択キー２１５ｃの右上部にキーＮｏ．“１”〜“１４”が付されている。
【００７５】
使用者によりメニューキー２１２ａ等のファンクションキー、商品グループ選択部キー２１３ａ、画像商品選択キー２１４ａ、文字商品選択キー２１４ｂまたはホームページ選択キー２１５ａが押される。それにより、ＣＰＵ１１０は、後述するフローチャートにより示される各種プログラムをＲＡＭ１１２上で実行する。
【００７６】
計量情報表示部２１１は、画像商品選択キー２１４ａまたは文字商品選択キー２１４ｂのいずれかが押されることにより、後述するように、商品の商品Ｎｏ．、単価および風袋量を表示する。
【００７７】
メニューキー２１２ａが押されると、図４のメニューモード画面２３０に切り替わる。商品グループ選択キー２１３ａのいずれかが押されると、予め設定された画像商品選択キー２１４ａ、文字商品選択キー２１４ｂおよびホームページ選択キー２１５ａが商品選択部２１４およびホームページ選択部２１５に表示される。
【００７８】
各画像商品選択キー２１４ａには予め後述する第１のＵＲＬおよび第２のＵＲＬならびに商品Ｎｏ．が関連付けられており、各文字商品選択キー２１４ｂには予め第１のＵＲＬおよび商品Ｎｏ．が関連付けられている。
【００７９】
各画像商品選択キー２１４ａは、ブラウザソフトの閲覧ウィンドウ（以下、ブラウザと呼ぶ）を含み、ホームページを表示させることができる。画像商品選択キー２１４ａのブラウザには、予め関連付けられた商品Ｎｏ．に対応する商品名および第２のＵＲＬのホームページが表示されている。
【００８０】
本実施の形態においては、主として商品に関連する画像を表示するホームページが第２のＵＲＬとして登録されているので、各画像商品選択キー２１４ａには主として商品に関連する画像が表示され、顧客の視覚に訴えて顧客の購買意欲を高めることができる。
【００８１】
各文字商品選択キー２１４ｂには予め関連付けられた商品Ｎｏ．に対応する商品名が表示されている。
【００８２】
画像商品選択キー２１４ａまたは文字商品選択キー２１４ｂのいずれかが押されると、関連付けられた商品Ｎｏ．およびその商品Ｎｏ．に対応する風袋および単価が計量情報表示部２１１に表示される。さらに、後述するように、ブラウザソフトが新たに起動するとともに、関連付けられた第１のＵＲＬのホームページがそのブラウザに表示される。したがって、商品を指定することにより、関連付けられたＵＲＬを容易に読み出すことができる。
【００８３】
例えば、キーＮｏ．“１”の画像商品選択キー２１４ａには、商品名“ポテトサラダ”および関連付けられた第２のＵＲＬのホームページの画像（ポテトの画像）が表示されている。
【００８４】
各ホームページ選択キー２１５ａには、予め第１のＵＲＬＮｏ．が関連付けられている。また、ホームページ選択キー２１５ａには、関連付けられたＵＲＬＮｏ．に対応するＵＲＬ名が表示される。ホームページ選択キー２１５ａのいずれかが押されると、後述するように、新たにブラウザソフトが起動し、関連付けられたＵＲＬＮｏ．に対応するＵＲＬのホームページがそのブラウザに表示される。
【００８５】
以上のように、簡単なキー操作によりブラウザが起動する。また、予め関連付けられたＵＲＬのホームページが表示されるため、ＵＲＬを入力する必要がない。
【００８６】
図６は、前面表示部１０２に表示されたブラウザモード画面２２０を示す模式図である。
【００８７】
ブラウザモード画面２２０は、図５の画像商品選択キー２１４ａ、文字商品選択キー２１４ｂまたはホームページ選択キー２１５ａのいずれかが押された場合に表示される。
【００８８】
図６に示すように、ブラウザモード画面２２０は、計量情報表示部２１１、ファンクションキー部２２２、ブラウザ２２３、戻るキー２２４および上下キー２２５を含む。ファンクションキー部２２２は、メニューキー２２２ａ等の複数のファンクションキーから構成される。
【００８９】
使用者により、メニューキー２２２ａ、戻るキー２２４、上下キー２２５等が押される。それにより、ＣＰＵ１１０は、後述するフローチャートにより示される各種プログラムをＲＡＭ１１２上で実行する。
【００９０】
図５の通常モード画面２１０において画像商品選択キー２１４ａまたは文字商品選択キー２１４ｂが押されると、計量情報表示部２１１には、関連付けられた商品Ｎｏ．に対応する商品名、風袋量および単価が表示される。この状態で、図２の計量部１０３に商品が載置されることにより、重量および値段が計算され、計量情報表示部２１１に重量および値段が表示される。
【００９１】
ブラウザ２２３には、図５で押された画像商品選択キー２１４ａ文字商品選択キー２１４ｂまたはホームページ選択キー２１５ａに関連付けられた第１のＵＲＬのホームページが表示される。
【００９２】
画像商品選択キー２１４ａまたは文字商品選択キー２１４ｂには、主として商品に関連する情報を表示するホームページが第１のＵＲＬとして登録されている。
【００９３】
一方、ホームページ選択キー２１５ａには、商品とは直接関連しない情報を表示するホームページを第１のＵＲＬとして登録することができる。また、計量情報表示部２１１は前面表示部１０２の所定領域に表示され、ファンクションキー２２２およびブラウザ２２３は計量情報表示部２１１と重ならない領域に表示される。したがって、使用者は、ブラウザ２２３に表示された商品の情報を見ながらその商品の計量を行うことができる。
【００９４】
図６の例は、図５のキーＮｏ．“１”の画像商品選択キー２１４ａを押した場合のブラウザ２２３を示している。
【００９５】
上下キー２２５が押されると、ブラウザ２２３内の表示内容が上下にスクロールする。戻るキー２２４が押されると、図５の通常モード画面２１０に戻る。メニューキー２２２ａが押されると、図４のメニューモード画面２３０に切り替わる。
【００９６】
図７は、前面表示部１０２に表示されたＵＲＬ登録モード画面２４０を示す模式図である。
【００９７】
このＵＲＬ登録モード画面２４０において、予め各ＵＲＬＮｏ．にＵＲＬを登録することができる。それにより、画像商品選択キー２１４ａ、文字商品選択キー２１４ｂおよびホームページ選択キー２１５ａにＵＲＬを関連付ける際にＵＲＬを入力する必要がない。
【００９８】
図７に示すように、ＵＲＬ登録モード画面２４０は、メニューキー２４１、ＵＲＬ名入力キー２４２、ＵＲＬ入力キー２４３、文字形式選択部２４４、文字キー部２４５、確認キー２４６、ＵＲＬＮｏ．入力キー２４７等を含む。
【００９９】
文字形式選択部２４４は、複数の文字形式選択キー２４４ａから構成される。文字キー部２４５は、複数の文字キー２４５ａから構成される。
【０１００】
使用者により、メニューキー２４１、ＵＲＬ名入力キー２４２、ＵＲＬ入力キー２４３、文字形式選択キー２４４ａ、文字キー２４５ａ等が押される。それにより、ＣＰＵ１１０は、後述するフローチャートにより示される各種プログラムをＲＡＭ１１２上で実行する。
【０１０１】
ＵＲＬＮｏ．入力キー２４７は、押されることにより数字入力が可能となる。ＵＲＬＮｏ．入力キー２４７には図２の操作パネル１０１によりＵＲＬＮｏ．が入力される。ＵＲＬ名入力キー２４２は、押されることにより文字入力が可能となる。ＵＲＬ名入力キー２４２にはＵＲＬ名が入力される。ＵＲＬ入力キー２４３は、押されることにより文字入力が可能となる。ＵＲＬ入力キー２４３にはＵＲＬが入力される。
【０１０２】
文字形式選択キー２４４ａは、ＵＲＬ名入力キー２４２およびＵＲＬ入力キー２４３に入力される文字形式を選択するためのキーである。使用者は、文字形式選択キー２４４ａのいずれかを押すことにより、かな文字、英字等の文字形式を選択できる。それにより、その文字形式に対応した文字キー２４５ａが文字キー部２４５に表示される。
【０１０３】
文字キー２４５ａが押されることにより、その文字キー２４５ａに表示された文字がＵＲＬ名入力キー２４２またはＵＲＬ入力キー２４３に入力される。
【０１０４】
図７の例では、ＵＲＬＮｏ．“０００１”にＵＲＬ名“ポテトサラダの作り方”およびＵＲＬ“ｈｔｔｐ：／／ｗｗｗ．０１２３４…．ｃｏｍ”が登録される。
【０１０５】
確認キー２４６が押されると、後述するように、ホームページ確認モード画面２５０が表示され、ブラウザにＵＲＬ入力キー２４３に入力されたＵＲＬのホームページが表示される。
【０１０６】
メニューキー２４１が押されると、図４に示すメニュモード画面２３０に切り替わる。
【０１０７】
図８は、表示部１０２に表示されたホームページ確認モード画面２５０を示す模式図である。
【０１０８】
このホームページ確認モード画面２５０においては、図７のＵＲＬ登録モード画面２４０で入力されたＵＲＬのホームページをプレビュー表示により確認することができるとともに、入力されたＵＲＬを商品Ｎｏ．に関連付けることができる。
【０１０９】
図８に示すように、ホームページ確認モード画面２５０は、ブラウザ２５１、戻るキー２５２、確定キー２５３、上下キー２５４、ＵＲＬＮｏ．入力キー２５５およびＵＲＬＮｏ．入力キー２５６を含む。
【０１１０】
使用者により、戻るキー２５２、確定キー２５３、上下キー２５４、ＵＲＬＮｏ．入力キー２５５またはＵＲＬＮｏ．入力キー２５６が押される。それにより、ＣＰＵ１１０は、後述するフローチャートにより示される各種プログラムをＲＡＭ１１２上で実行する。
【０１１１】
ブラウザ２５１には、図７のＵＲＬ名入力キー２４２に入力されたＵＲＬ名およびＵＲＬ入力キー２４３に入力されたＵＲＬのホームページが表示される。使用者は、上下キー２５４を押すことによりブラウザ２５１内の表示内容を上下にスクロールすることができる。戻るキー２５２が押されると、図７のＵＲＬ登録モード画面２４０に切り替わる。
【０１１２】
図８の例では、ブラウザ２５１に、ＵＲＬ名“ポテトサラダの作り方”、ＵＲＬ“ｈｔｔｐ：ｗｗｗ．０１２３４…．ｃｏｍ”およびそのＵＲＬのホームページの画像が表示されている。
【０１１３】
ＵＲＬＮｏ．入力キー２５５，２５６は、押されることにより数字入力が可能となる。ＵＲＬＮｏ．入力キー２５５，２５６には、図２の操作パネル１０１を操作することにより商品Ｎｏ．が数字で入力される。これによりブラウザ２５１に表示されたＵＲＬを第１のＵＲＬまたは第２のＵＲＬとして商品Ｎｏ．に関連付けることができる。
【０１１４】
確定キー２５３が押されると、ＵＲＬマスタには、図７のＵＲＬ登録モード画面でＵＲＬＮｏ．入力キー２４７に入力されたＵＲＬＮｏ．、ＵＲＬ名入力キー２４２に入力されたＵＲＬ名およびＵＲＬ入力キー２４３に入力されたＵＲＬが登録される。
【０１１５】
また、アイテムマスタには、図７の入力キー２４７に入力されたＵＲＬＮｏ．が登録される。入力キー２５５に入力された商品Ｎｏ．には第１のＵＲＬとしてＵＲＬＮｏ．が登録され、入力キー２５６に入力された商品Ｎｏ．には第２のＵＲＬとしてＵＲＬＮｏ．が登録される。
【０１１６】
図８の例では、ＵＲＬ“ｈｔｔｐ：ｗｗｗ．０１２３４…．ｃｏｍ”が第２のＵＲＬとして商品Ｎｏ．“０００１”に関連付けられる。
【０１１７】
図９は、表示部１０２に表示されたＵＲＬマスタ確認モード画面２６０を示す模式図である。
【０１１８】
図９のＵＲＬマスタ確認モード画面２６０において、各ＵＲＬＮｏ．に登録されたＵＲＬ名およびＵＲＬを確認することができる。
【０１１９】
ＵＲＬマスタ確認モード画面２６０は、ＵＲＬマスタ表示部２６１および戻るキー２６２を含む。
【０１２０】
ＵＲＬマスタ表示部２６１には、外部記憶装置１１３に記憶されているＵＲＬマスタの内容が表示される。戻るキー２６２が押されることにより、図４のメニューモード画面２３０に切り替わる。
【０１２１】
図１０は、表示部１０２に表示されたアイテムマスタ確認モード画面２７０を示す模式図である。
【０１２２】
図１０のアイテムマスタ確認モード画面２７０において、各商品Ｎｏ．に関連付けられたキーＮｏ．、商品単価、商品名、第１のＵＲＬおよび第２のＵＲＬを確認することができる。
【０１２３】
アイテムマスタ確認モード画面２７０は、アイテムマスタ表示部２７１および戻るキー２７２を含む。
【０１２４】
アイテムマスタ表示部２７１には、アイテムマスタに登録された商品Ｎｏ．、キーＮｏ．、単価、商品名、第１のＵＲＬＮｏ．、第２のＵＲＬＮｏ．が表示される。各商品Ｎｏ．ごとに単価、商品名、第１のＵＲＬＮｏ．および第２のＵＲＬＮｏ．およびその商品Ｎｏ．が関連付られるキーＮｏ．がセットで登録されている。
【０１２５】
なお、キーＮｏ．の関連付けは、図１１のプリセットキー設定モード画面２３０において行われる。
【０１２６】
戻るキー２７２が押されることにより、図４のメニューモード画面２３０に切り替わる。
【０１２７】
図１１は、表示部１０２に表示されたプリセットキー設定モード画面２８０を示す模式図である。
【０１２８】
図１１のプリセットキー設定モード画面２８０において、各キーＮｏ．に商品Ｎｏ．およびＵＲＬＮｏ．のうち一方を関連付けることができる。
【０１２９】
プリセットキー設定モード画面２８０は、登録内容表示部２８１、ファンクションキー部２８２、登録キー２８３およびプリセットキー部２８４を含む。
【０１３０】
登録内容表示部２８１は、商品Ｎｏ．入力キー２８１ａおよびＵＲＬＮｏ．入力キー２８１ｂから構成される。ファンクションキー部２８２は、メニューキー２８２ａ等のファンクションキーから構成される。
【０１３１】
プリセットキー部２８４は、予め設定された複数のプリセットキー２８４ａから構成される。プリセットキー２８４ａの大きさ、数、配置箇所等は使用者が任意に設定することができる。
【０１３２】
使用者は、プリセットキー２８４ａのいずれかを押すことにより、そのキーに関連付ける商品Ｎｏ．またはＵＲＬＮｏ．を任意に入力することができる。
【０１３３】
商品Ｎｏ．入力キー２８１ａおよびＵＲＬＮｏ．入力キー２８１ｂは、押されることにより数字入力が可能となる。商品Ｎｏ．入力キー２８１ａおよびＵＲＬＮｏ．入力キー２８１ｂには、図２の操作パネル１０１を操作することにより商品Ｎｏ．またはＵＲＬＮｏ．が入力される。
【０１３４】
使用者は、プリセットキー２８４ａのいずれかを押し、商品Ｎｏ．入力キー２８１ａまたはＵＲＬＮｏ．２８１ｂに数字を入力し、登録キー２８３を押すことにより、そのプリセットキー２８４ａに商品Ｎｏ．またはＵＲＬＮｏ．を関連付けることができる。
【０１３５】
プリセットキー２８４ａに商品の単価、風袋量およびホームページを関連付ける場合には商品Ｎｏ．入力キー２８１ａに商品Ｎｏ．を入力する。
【０１３６】
入力された商品Ｎｏ．に第１のＵＲＬＮｏ．および第２のＵＲＬＮｏ．が登録されていれば、そのプリセットキー２８４ａは、ＣＰＵ１１０により通常モードプログラムが実行されることにより、図５の画像商品選択キー２１４ａとして表示される。
【０１３７】
入力された商品Ｎｏ．に第２のＵＲＬＮｏ．が登録されておらず、第１のＵＲＬＮｏ．が登録されていれば、そのプリセットキー２８４ａは、ＣＰＵ１１０により通常モードプログラムが実行されることにより、図５の文字商品選択キー２１４ｂとして表示される。
【０１３８】
プリセットキー２８４ａにホームページのみを関連付ける場合にはＵＲＬＮｏ．入力キー２８１ｂにＵＲＬＮｏ．を入力する。そのプリセットキー２８４ａは、ＣＰＵ１１０により通常モードプログラムが実行されることにより、図５のホームページ選択キー２１５ａとして表示される。
【０１３９】
したがって、ＵＲＬを入力することなく、プリセットキー２８４ａに第１のＵＲＬおよび第２のＵＲＬを関連付けることができる。
【０１４０】
図１１の例では、キーＮｏ．“１”〜“３”のプリセットキー２８４ａが図５の画像商品選択キー２１４ａとして表示され、キーＮｏ．“４”〜“１０”のプリセットキー２８４ａが図５の文字商品選択キー２１４ｂとして表示され、キーＮｏ．“１１”〜“１４”のプリセットキー２８４ａが図５のホームページ選択キー２１５ａとして表示される。
【０１４１】
図１２は、本実施の形態に係るメニューモードプログラムを説明するフローチャートである。以下、図４を参照しながらメニューモードプログラムを説明する。
【０１４２】
図１２に示すように、ＣＰＵ１１０は、図４の通常モードキー２３１ａが押されたか否かを判別する（ステップＳ１１）。通常モードキー２３１ａが押された場合、ＣＰＵ１１０は、通常モードプログラムを実行する（ステップＳ１６）。通常モードプログラムの終了後、ＣＰＵ１１０は、ステップＳ１１の動作に戻る。
【０１４３】
ステップＳ１１において、通常モードキー２３１ａが押されなかった場合、ＣＰＵ１１０は、ＵＲＬ登録キー２３１ｂが押されたか否かを判別する（ステップＳ１２）。ＵＲＬ登録キー２３１ｂが押された場合、ＣＰＵ１１０は、ＵＲＬ登録モードプログラムを実行する（ステップＳ１７）。ＵＲＬ登録モードプログラムの終了後ＣＰＵ１１０は、ステップＳ１１の動作に戻る。
【０１４４】
ステップＳ１２において、ＵＲＬ登録キー２３１ｂが押されなかった場合、ＣＰＵ１１０は、ＵＲＬ一覧キー２３１ｃが押されたか否かを判別する（ステップＳ１３）。ＵＲＬ一覧キー２３１ｃが押された場合、ＣＰＵ１１０は、ＵＲＬ一覧モードプログラムを実行する（ステップＳ１８）。ＵＲＬ一覧モードプログラムの終了後、ＣＰＵ１１０は、ステップＳ１１の動作に戻る。
【０１４５】
ステップＳ１３において、ＵＲＬ一覧キー２３１ｃが押されなかった場合、ＣＰＵ１１０は、商品一覧キー２３１ｄが押されたか否かを判別する（ステップＳ１４）。商品一覧キー２３１ｄが押された場合、ＣＰＵ１１０は、商品一覧モードプログラムを実行する（ステップＳ１９）。商品一覧モードプログラムの終了後ＣＰＵ１１０は、ステップＳ１１の動作に戻る。
【０１４６】
ステップＳ１４において、商品一覧キー２３１ｄが押されなかった場合、ＣＰＵ１１０は、プリセット設定キー２３１ｅが押されたか否かを判別する（ステップＳ１５）。プリセット設定キー２３１ｅが押された場合、ＣＰＵ１１０はプリセット設定モードプログラムを実行する（ステップＳ２０）。プリセット設定モードプログラムの終了後、ＣＰＵ１１０は、ステップＳ１１の動作に戻る。
【０１４７】
ステップＳ１５において、プリセット設定キー２３１ｅが押されなかった場合、ＣＰＵ１１０は、ステップＳ１１の動作に戻る。
【０１４８】
図１３は、本実施の形態に係るＵＲＬ登録モードプログラムを説明するフローチャートである。以下、図７および図８を参照しながらＵＲＬ登録モードプログラムを説明する。
【０１４９】
図１３に示すように、ＣＰＵ１１０は、ＵＲＬ登録モード画面２４０を起動する（ステップＳ２１）。
【０１５０】
次にＣＰＵ１１０は、図７のメニューキー２４１が押されたか否かを判別する（ステップＳ２２）。メニューキー２４１が押されなかった場合、ＣＰＵ１１０は、ＵＲＬが入力されたか否かを判別する（ステップＳ２３）。ＵＲＬが入力された場合、ＣＰＵ１１０は、確認キー２４６が押されたか否かを判別する（ステップＳ２４）。確認キー２４６が押された場合、ＣＰＵ１１０は、図８のブラウザ２５１を起動して入力されたＵＲＬのホームページを表示する（ステップＳ２５）。
【０１５１】
次いで、ＣＰＵ１１０は、図８の戻るキー２５２が押されたか否かを判別する（ステップＳ２６）。戻るキー２５２が押されなかった場合、ＣＰＵ１１０は、商品Ｎｏ．が入力されたか否かを判別する（ステップＳ２７）。商品Ｎｏ．が入力された場合、ＣＰＵ１１０は、図８の確定キー２５３が押されたか否かを判別する（ステップＳ２８）。確定キー２５３が押された場合、ＣＰＵ１１０は、入力されたＵＲＬをＵＲＬマスタに登録する（ステップＳ２９）。その後、ＣＰＵ１１０は、図８のブラウザ２５１を終了し（ステップＳ３０）、ステップＳ２２の動作に戻る。
【０１５２】
ステップＳ２２において、メニューキー２４１が押された場合、ＣＰＵ１１０は、ＵＲＬ登録モードプログラムを終了する（ステップＳ３１）。
【０１５３】
ステップＳ２３において、ＵＲＬが入力されなかった場合、ＣＰＵ１１０は、ステップＳ２２の動作から繰り返す。ステップＳ２４において、確認キー２４６が押されなかった場合、ＣＰＵ１１０は、ステップＳ２２の動作に戻る。
【０１５４】
ステップＳ２６において、戻るキー２５２が押された場合、ＣＰＵ１１０は、図８のブラウザ２５１を終了し（ステップＳ３０）、ステップＳ２２の動作から繰り返す。ステップＳ２７において、商品Ｎｏ．が入力されなかった場合、ＣＰＵ１１０は、ステップＳ２６の動作に戻る。
【０１５５】
ステップＳ２８において、確定キー２５３が押されなかった場合、ＣＰＵ１１０は、ステップＳ２６の動作に戻る。
【０１５６】
以上のように、入力されたＵＲＬに間違いがないか確認してから登録されるため、ＵＲＬの誤入力が防止される。また、ＵＲＬマスタには、各ＵＲＬＮｏ．ごとにＵＲＬ名およびＵＲＬがセットで登録される。
【０１５７】
図１４は、本実施の形態に係るＵＲＬ一覧モードプログラムを説明するフローチャートである。以下、図９を参照しながらＵＲＬ一覧モードプログラムを説明する。
【０１５８】
図１４に示すように、ＣＰＵ１１０は、ＵＲＬ一覧モード画面２６０を起動する（ステップＳ４１）。
【０１５９】
次に、ＣＰＵ１１０は、戻るキー２６２が押されたか否かを判別する（ステップＳ４２）。戻るキー２６２が押された場合、ＣＰＵ１１０は、ＵＲＬ一覧モードプログラムを終了する（ステップＳ４３）。ステップＳ４２において、戻るキー２６２が押されなかった場合、ＣＰＵ１１０は、待機する。
【０１６０】
以上のように、使用者は、ＵＲＬマスタの内容をワンタッチで確認することができる。
【０１６１】
図１５は、本実施の形態に係る商品一覧モードプログラムを説明するフローチャートである。以下、図１０を参照しながら商品一覧モードプログラムを説明する。
【０１６２】
図１５に示すように、ＣＰＵ１１０は、図１０の商品一覧モード画面２７０を起動する（ステップＳ５１）。
【０１６３】
次に、ＣＰＵ１１０は、戻るキー２７２が押されたか否か判別する（ステップＳ５２）。戻るキー２７２が押された場合、ＣＰＵ１１０は、商品一覧モードプログラムを終了する（ステップＳ５３）。ステップＳ５２において、戻るキー２７２が押されなかった場合、ＣＰＵ１１０は、待機する。
【０１６４】
以上のように、使用者は、アイテムマスタの内容をワンタッチで確認することができる。
【０１６５】
図１６は、本実施の形態に係るプリセットキー登録モードプログラムを説明するフローチャートである。以下、図１１を参照しながらプリセットキー登録モードプログラムを説明する。
【０１６６】
図１６に示すように、ＣＰＵ１１０は、図１１のプリセットキー登録モード画面２８０を起動する（ステップＳ６１）。
【０１６７】
次に、ＣＰＵ１１０は、図１１のメニューキー２８２ａが押されたか否か判別する（ステップＳ６２）。メニューキー２８２ａが押されなかった場合、ＣＰＵ１１０は、いずれかのプリセットキー２８４ａが選択されたか否かを判別する（ステップＳ６３）。
【０１６８】
いずれかのプリセットキー２８４ａが選択された場合、ＣＰＵ１１０は、商品Ｎｏ．が入力されたか否かを判別する（ステップＳ６４）。商品Ｎｏ．が入力された場合、ＣＰＵ１１０は、登録キー２８３が押されたか否かを判別する（ステップＳ６５）。登録キー２８３が押された場合、ＣＰＵ１１０は、選択されたプリセットキーに商品Ｎｏ．を関連付ける（ステップＳ６６）。その後、ＣＰＵ１１０は、ステップＳ６２の動作に戻る。
【０１６９】
ステップＳ６２において、メニューキー２８２ａが押された場合、ＣＰＵ１１０は、プリセットキー登録モードプログラムを終了する（ステップＳ６７）。ステップＳ６３において、いずれのプリセットキー２８４ａが選択されなかった場合、ＣＰＵ１１０は、ステップＳ６２の動作に戻る。
【０１７０】
ステップＳ６４において、商品Ｎｏ．が入力されなかった場合、ＣＰＵ１１０は、ＵＲＬＮｏ．が入力されたか否かを判別する（ステップＳ６８）。ＵＲＬＮｏ．が入力された場合、ＣＰＵ１１０は、登録キー２８３が押されたか否かを判別する（ステップＳ６９）。登録キー２８３が押された場合、ＣＰＵ１１０は、選択されたプリセットキーにＵＲＬＮｏ．を関連付ける（ステップＳ７０）。
【０１７１】
ステップＳ６８において、ＵＲＬＮｏ．が入力されなかった場合、ＣＰＵ１１０は、ステップＳ６２の動作に戻る。ステップＳ６９において、登録キー２８３が押されなかった場合、ＣＰＵ１１０は、ステップＳ６２の動作に戻る。
【０１７２】
以上のように、各プリセットキーに商品Ｎｏ．およびＵＲＬＮｏ．のいずれかを関連付けることにより、図５の商品選択部２１４の設定を任意に行うことができる。
【０１７３】
図１７は、本実施の形態に係る通常モードプログラムを説明するフローチャートである。以下、図５および図６を参照しながら通常モードプログラムを説明する。
【０１７４】
図１７に示すように、ＣＰＵ１１０は、図５の通常モード画面２１０を起動する（ステップＳ７１）。次に、ＣＰＵ１１０は、画像商品選択キー２１４ａに、予め関連付けられた第２のＵＲＬにアクセスして画像商品選択キー２１４ａにホームページを表示させる（ステップＳ７２）。
【０１７５】
次いで、ＣＰＵ１１０は、図５のメニューキー２１２ａが押されたか否かを判別する（ステップＳ７３）。メニューキー２１２ａが押されなかった場合、画像商品選択キー２１４ａまたは文字商品選択キー２１４ｂが押されたか否かを判別する（ステップＳ７４）。画像商品選択キー２１４ａまたは文字商品選択キー２１４ｂが押された場合、ＣＰＵ１１０は、外部記憶装置１１３に記憶されたアイテムマスタから押されたキーに関連付けられた商品Ｎｏ．の単価および商品名を読み込み、計量情報表示部２１１に表示させる（ステップＳ７５）。
【０１７６】
次に、ＣＰＵ１１０は、図６のブラウザ２２３を起動し（ステップＳ７６）、外部記憶装置１１３に記憶されたＵＲＬマスタから、押されたキーに関連付けられたＵＲＬＮｏ．の第１のＵＲＬおよびＵＲＬ名を読み込み、ブラウザ２２３にＵＲＬ名、第１のＵＲＬおよび第１のＵＲＬのホームページを表示させる（ステップＳ７７）。
【０１７７】
次いで、ＣＰＵ１１０は、図６のメニューキー２２２ａが押されたか否かを判別する（ステップＳ７８）。メニューキー２２２ａが押されなかった場合、ＣＰＵ１１０は、戻るキー２２４が押されたか否かを判別する（ステップＳ７９）。戻るキー２２４が押された場合、ＣＰＵ１１０は、ブラウザ２２３を終了し（ステップＳ８０）、ステップＳ７２の動作に戻る。
【０１７８】
ステップＳ７３において、メニューキー２１２ａが押された場合、ＣＰＵ１１０は、通常モードプログラムを終了する（ステップＳ８１）。
【０１７９】
ステップＳ７４において、画像商品選択キー２１４ａおよび文字商品選択キー２１４ｂのいずれも押されなかった場合、ＣＰＵ１１０は、ホームページ選択キー２１５ａが押されたか否かを判別する（ステップＳ８２）。ホームページ選択キー２１５ａが押された場合、ＣＰＵ１１０は、ステップＳ７６の動作を行う。ホームページ選択キー２１５ａが押されなかった場合、ＣＰＵ１１０は、ステップＳ７２の動作に戻る。
【０１８０】
ステップＳ７８において、メニューキー２２２ａが押された場合、ＣＰＵ１１０は、通常モードプログラムを終了する（ステップＳ８３）。
【０１８１】
ステップＳ７９において、戻るキー２２４が押されなかった場合、ＣＰＵ１１０は、ステップＳ７８の動作に戻る。
【０１８２】
以上のように、画像商品選択キー２１４ａ、文字商品選択キー２１４ｂおよびホームページ選択キー２１５ａのいずれかが押された場合、ブラウザが起動してホームページが表示される。その際、計量情報表示部２１１は、起動したブラウザによって隠れることがない。したがって、使用者はホームページを閲覧しながら商品の計量を行うことができる。
【０１８３】
本実施の形態においては、計量部１０３が計量手段に相当し、前面表示部１０２が表示手段に相当し、インタフェース部１１４が接続手段に相当し、画像商品選択キー２１４ａおよびブラウザ２２３，２５１が閲覧手段に相当し、ＣＰＵ１１０が制御手段に相当し、印字部１０４が印字手段に相当し、計量情報表示部２１１が第１の領域に相当し、ＵＲＬ登録モード画面２４０およびホームページ確認モード画面２５０が登録手段に相当し、文字キー２４５ａが入力手段に相当し、ブラウザ２５１がプレビュー手段に相当し、アイテムマスタが商品情報記憶手段に相当し、ホームページ確認モード画面２５０がアドレス関連付け手段に相当し、プリセットキー登録モード画面２８０がキー割り付け手段、関連付け手段および起動スイッチ割り付け手段に相当し、ＵＲＬマスタが対応関係記憶手段に相当し、ＵＲＬＮｏ．入力キー２５５およびＵＲＬＮｏ．入力キー２５６が対応付け手段に相当し、画像商品選択キー２１４ａ、文字商品選択キー２１４ｂおよびホームページ選択キー２１５ａがアドレス読み出し手段に相当する。
【０１８４】
なお、上記実施の形態では、本発明を前面表示部１０２、計量部１０３および印字部１０４を有する電子秤計量器１００に適用した場合を説明したが、本発明は、前面表示部１０２および計量部１０３を有し、印字部１０４を有さない電子秤計量器にも同様に適用することができる。また、本発明は、前面表示部１０２および印字部１０４を有し、計量部１０３を有さないラベル印字装置にも同様に適用することができる。この場合、ラベル印字装置の構成は、計量部１０３、背面表示部１０５を有さない点を除いて図３に示した構成と同様である。
【０１８５】
【発明の効果】
第１の発明に係る電子秤計量器においては、計量手段による計量結果の表示と閲覧手段により読み込まれた情報の表示とが画面上で重なることが確実に防止される。したがって、閲覧手段により読み込まれた情報を閲覧しながら計量手段により計量を行うことができる。その結果、計量中に接続先から読み込んだ各種情報を有効に活用することができる。
【０１８６】
第２の発明に係る電子秤計量器においては、アドレスを入力することなく、簡単なキーを操作により接続先のアドレスに容易に接続し、接続先から読み込まれた情報を画面に表示することができる。その結果、キーボードを設けることなく接続先から読み込んだ各種情報を容易に表示することができる。
【０１８７】
第３の発明に係るラベル印字装置においては、商品情報の表示と閲覧手段により読み込まれた情報の表示とが画面上で重なることが確実に防止される。したがって、閲覧手段により読み込まれた情報を閲覧しながら商品情報を閲覧することができる。その結果、計量中に接続先から読み込んだ各種情報を有効に活用することができる。
【０１８８】
第４の発明に係るラベル印字装置においては、アドレスを入力することなく、簡単なキーを操作により接続先のアドレスに容易に接続し、接続先から読み込まれた情報を画面に表示することができる。その結果、キーボードを設けることなく接続先から読み込んだ各種情報を容易に表示することができる。
【図面の簡単な説明】
【図１】本実施の形態に係る電子秤計量器を用いた電子秤計量器システムの構成を示す模式図である。
【図２】本実施の形態に係る電子秤計量器の外観斜視図である。
【図３】電子秤計量器の構成を示すブロック図である。
【図４】前面表示部に表示されたメニューモード画面を示す模式図である。
【図５】図２の前面表示部に表示された通常モード画面を示す模式図である。
【図６】前面表示部に表示されたブラウザモード画面を示す模式図である。
【図７】前面表示部に表示されたＵＲＬ登録モード画面を示す模式図である。
【図８】表示部に表示されたホームページ確認モード画面を示す模式図である。
【図９】表示部に表示されたＵＲＬマスタ確認モード画面を示す模式図である。
【図１０】表示部に表示されたアイテムマスタ確認モード画面を示す模式図である。
【図１１】表示部に表示されたプリセットキー設定モード画面を示す模式図である。
【図１２】本実施の形態に係るメニューモードプログラムを説明するフローチャートである。
【図１３】本実施の形態に係るＵＲＬ登録モードプログラムを説明するフローチャートである。
【図１４】本実施の形態に係るＵＲＬ一覧モードプログラムを説明するフローチャートである。
【図１５】本実施の形態に係る商品一覧モードプログラムを説明するフローチャートである。
【図１６】本実施の形態に係るプリセットキー登録モードプログラムを説明するフローチャートである。
【図１７】本実施の形態に係る通常モードプログラムを説明するフローチャートである。
【符号の説明】
１００  電子秤計量器
１０２  前面表示部
１０３  計量部
１０４  印字部
１１０  ＣＰＵ
１１３  外部記憶装置
１１４  インタフェース部
２１０  通常モード画面
２１１  計量情報表示部
２１４ａ  画像商品選択キー
２１４ｂ  文字商品選択キー
２１５ａ  ホームページ選択キー
２２０  ブラウザモード画面
２２３  ブラウザ
２３０  メニューモード画面
２４０  ＵＲＬ登録モード画面
２５０  ホームページ確認モード画面
２５１  ブラウザ
２６０  ＵＲＬマスタ確認モード画面
２７０  アイテムマスタ確認モード画面
２８０  プリセットキー登録モード画面
２８４ａ  プリセットキー
３００  パーソナルコンピュータ
４００  ＬＡＮ
５００  プロバイダ用サーバ
６００  インターネット
【図１】
2004264219.tif 000003
【図２】
2004264219.tif 000004
【図３】
2004264219.tif 000005
【図４】
2004264219.tif 000006
【図５】
2004264219.tif 000007
【図６】
2004264219.tif 000008
【図７】
2004264219.tif 000009
【図８】
2004264219.tif 000010
【図９】
2004264219.tif 000011
【図１０】
2004264219.tif 000012
【図１１】
2004264219.tif 000013
【図１２】
2004264219.tif 000014
【図１３】
2004264219.tif 000015
【図１４】
2004264219.tif 000016
【図１５】
2004264219.tif 000017
【図１６】
2004264219.tif 000018
【図１７】
2004264219.tif 000019